【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
画像形成を行う画像形成手段と、
装置から伸びた支持部上に配置され、当該支持部を中心として回動自在に構成され、画像形成に係わる表示及び指示の入力を行うための操作パネルと、
前記操作パネルの回動を検出する回動検出手段とを備え、
前記画像形成手段は、前記回動検出手段により前記操作パネルの回動が検出されたときは、前記画像形成の準備動作を行うことを特徴とする画像形成装置。
【請求項２】
画像形成を行う画像形成手段と、
装置から伸びた支持部上に配置され、当該支持部を中心として回動自在に構成され、画像形成に係わる表示及び指示の入力を行うための操作パネルと、
前記操作パネルの複数の回動位置を検出する回動位置検出手段と、
前記操作パネルの回動位置に対応させて前記操作パネルに表示すべき画面を予め設定するための画面設定手段と、
前記回動位置検出手段により検出された回動位置に応じて、前記操作パネルに前記画面設定手段により設定された画面を表示させる制御手段とを備え、
前記制御手段は、前記操作パネルが前記複数の回動位置のいずれかに回動されたことを前記回動位置検出手段により検出した場合、前記回動位置検出手段により検出された回動位置に応じて、前記画面設定手段により設定された画面を前記操作パネルに表示させ、前記操作パネルに表示される画面が画像形成準備が必要な初期画面であることに応じて、前記画像形成の準備動作を前記画像形成手段に開始させることを特徴とする画像形成装置。
【請求項３】
前記制御手段は、前記操作パネルが前記複数の回動位置のいずれかに位置していることが前記回動位置検出手段により検出できない場合、前記操作パネルの表示を消灯することを特徴とする請求項２記載の画像形成装置。
【請求項４】
前記制御手段は、前記回動位置検出手段により検出された回動位置に応じて、前記画面設定手段により設定された画面を前記操作パネルに表示させ、前記画像形成の準備動作が実行中である場合は、前記操作パネルに表示される画面が画像形成準備が必要な初期画面でないことに応じて、当該実行中の準備動作を中断することを特徴とする請求項２又は３記載の画像形成装置。
【請求項５】
前記画像形成手段は、画像情報に基づくレーザ光を多角面鏡に反射させ、当該多角面鏡をモータにより回転させることで複数の像担持体を露光する露光手段と、前記複数の像担持体上に形成される静電潜像を現像し、各色のトナー像を形成する現像手段と、前記各色のトナー像を所定の速度で搬送される記録紙に転写する転写手段と、前記記録紙上に転写された前記トナー像を定着させるために定着させる定着手段とを備え、
前記画像形成の準備動作として、前記モータの立ち上げ及び前記定着手段の定着温調の少なくとも１つを開始することを特徴とする請求項１乃至４のいずれか１項に記載の画像形成装置。
【請求項６】
前記画面設定手段は、前記操作パネルに表示させる画面を、複数の画面の中から選択して設定することを特徴とする請求項１乃至５のいずれか１項に記載の画像形成装置。
【請求項７】
画像形成を行う画像形成手段と、装置から伸びた支持部上に配置され、当該支持部を中心として回動自在に構成され、画像形成に係わる表示及び指示の入力を行うための操作パネルと、前記操作パネルの回動位置を検出する回動位置検出手段とを備える画像形成装置の制御方法であって、
前記回動位置検出手段が前記操作パネルの回動を検出する回動検出工程と、
前記回動検出工程で前記操作パネルの回動が検出されたときは、前記画像形成手段が画像形成の準備動作を行う準備工程とを備えることを特徴とする画像形成装置の制御方法。
【請求項８】
画像形成を行う画像形成手段と、装置から伸びた支持部上に配置され、当該支持部を中心として回動自在に構成され、画像形成に係わる表示及び指示の入力を行うための操作パネルと、前記操作パネルの複数の回動位置を検出する回動位置検出手段とを備える画像形成装置の制御方法であって、
前記操作パネルの回動位置に対応させて前記操作パネルに表示すべき画面を予め設定するための画面設定工程と、
前記操作パネルが前記複数の回動位置のいずれかに回動されたことを前記回動位置検出手段が検出する検出工程と、
前記検出工程にて検出された回動位置に応じて、前記画面設定工程で設定された画面を前記操作パネルに表示させる表示工程と、
前記操作パネルが前記複数の回動位置のいずれかに回動されたことを前記回動位置検出手段により検出した場合、前記回動位置検出手段により検出された回動位置に応じて、前記画面設定手段により設定された画面を前記操作パネルに表示させ、前記操作パネルに表示される画面が前記操作パネルに表示される画面が画像形成準備が必要な初期画面であることに応じて、前記画像形成の準備動作を前記画像形成手段に開始させる準備工程とを備えることを特徴とする画像形成装置の制御方法。
【手続補正２】
【補正対象書類名】明細書
【補正対象項目名】０００５
【補正方法】変更
【補正の内容】
【０００５】
上記目的を達成するために、請求項１記載の画像形成装置は、画像形成を行う画像形成手段と、装置から伸びた支持部上に配置され、当該支持部を中心として回動自在に構成され、画像形成に係わる表示及び指示の入力を行うための操作パネルと、前記操作パネルの回動を検出する回動検出手段とを備え、前記画像形成手段は、前記回動検出手段により前記操作パネルの回動が検出されたときは、前記画像形成の準備動作を行うことを特徴とする。
【手続補正３】
【補正対象書類名】明細書
【補正対象項目名】０００６
【補正方法】変更
【補正の内容】
【０００６】
上記目的を達成するために、請求項２記載の画像形成装置は、画像形成を行う画像形成手段と、装置から伸びた支持部上に配置され、当該支持部を中心として回動自在に構成され、画像形成に係わる表示及び指示の入力を行うための操作パネルと、前記操作パネルの複数の回動位置を検出する回動位置検出手段と、前記操作パネルの回動位置に対応させて前記操作パネルに表示すべき画面を予め設定するための画面設定手段と、前記回動位置検出手段により検出された回動位置に応じて、前記操作パネルに前記画面設定手段により設定された画面を表示させる制御手段とを備え、前記制御手段は、前記操作パネルが前記複数の回動位置のいずれかに回動されたことを前記回動位置検出手段により検出した場合、前記回動位置検出手段により検出された回動位置に応じて、前記画面設定手段により設定された画面を前記操作パネルに表示させ、前記操作パネルに表示される画面が画像形成準備が必要な初期画面であることに応じて、前記画像形成の準備動作を前記画像形成手段に開始させることを特徴とする。
【手続補正４】
【補正対象書類名】明細書
【補正対象項目名】０００７
【補正方法】変更
【補正の内容】
【０００７】
上記目的を達成するために、請求項７記載の画像形成装置の制御方法は、画像形成を行う画像形成手段と、装置から伸びた支持部上に配置され、当該支持部を中心として回動自在に構成され、画像形成に係わる表示及び指示の入力を行うための操作パネルと、前記操作パネルの回動位置を検出する回動位置検出手段とを備える画像形成装置の制御方法であって、前記回動位置検出手段が前記操作パネルの回動を検出する回動検出工程と、前記回動検出工程で前記操作パネルの回動が検出されたときは、前記画像形成手段が画像形成の準備動作を行う準備工程とを備えることを特徴とする。
【手続補正５】
【補正対象書類名】明細書
【補正対象項目名】０００８
【補正方法】変更
【補正の内容】
【０００８】
上記目的を達成するために、請求項８記載の画像形成装置の制御方法は、画像形成を行う画像形成手段と、装置から伸びた支持部上に配置され、当該支持部を中心として回動自在に構成され、画像形成に係わる表示及び指示の入力を行うための操作パネルと、前記操作パネルの複数の回動位置を検出する回動位置検出手段とを備える画像形成装置の制御方法であって、前記操作パネルの回動位置に対応させて前記操作パネルに表示すべき画面を予め設定するための画面設定工程と、前記操作パネルが前記複数の回動位置のいずれかに回動されたことを前記回動位置検出手段が検出する検出工程と、
前記検出工程にて検出された回動位置に応じて、前記画面設定工程で設定された画面を前記操作パネルに表示させる表示工程と、前記操作パネルが前記複数の回動位置のいずれかに回動されたことを前記回動位置検出手段により検出した場合、前記回動位置検出手段により検出された回動位置に応じて、前記画面設定手段により設定された画面を前記操作パネルに表示させ、前記操作パネルに表示される画面が前記操作パネルに表示される画面が画像形成準備が必要な初期画面であることに応じて、前記画像形成の準備動作を前記画像形成手段に開始させる準備工程とを備えることを特徴とする。
【手続補正６】
【補正対象書類名】明細書
【補正対象項目名】０００９
【補正方法】変更
【補正の内容】
【０００９】
本発明によれば、装置から伸びた支持部上に配置され、当該支持部を中心として回動自在に構成され、画像形成に係わる表示及び指示の入力を行うための操作パネルと、操作パネルの回動を検出する回動検出手段とを備え、回動検出手段により操作パネルの回動が検出されたときは、画像形成の準備動作を行う。このように、操作パネルの回動と画像形成の準備動作を連動させることで、ファーストコピー時間を短縮し、ユーザビリティを向上させることができる。
【手続補正７】
【補正対象書類名】明細書
【補正対象項目名】００７７
【補正方法】変更
【補正の内容】
【００７７】
上述した初期画面の設定操作により、初期画面設定画面７０１ｆ上の表示部分７１３が正面位置の初期画面として設定され、また、初期画面設定画面７０１ｉ上の表示部分７１３が背面位置の初期画面として設定される。